【手続補正書】
【提出日】平成22年9月24日(2010.9.24)
【手続補正１】
【補正対象書類名】明細書
【補正対象項目名】０１５０
【補正方法】変更
【補正の内容】
【０１５０】
本明細書に記載される実施例及び実施形態は、単に例示することが目的であり、その様々な変更又は変形が当業者に提示され、本出願の趣旨及び範囲内に包含されることは理解されるべきである。
以下に、本願発明に関連する発明の実施形態について列挙する。
［実施形態１］
光学フィルムを作製する方法であって、
少なくとも１つのポリマー材料を含むフィルムを提供する工程と、
第１延伸工程において、第１セットの加工条件下で、前記フィルムをクロスウェブ（ＴＤ）方向に沿って拡幅し、前記フィルム中に生じる複屈折がたとえあるとしても低いようにする工程と、
第２延伸工程において、第２セットの加工条件下で、前記フィルムを前記クロスウェブ（ＴＤ）方向に沿って緩和させながら、前記フィルムをダウンウェブ（ＭＤ）方向に沿って延伸する工程と、を含み、前記第２セットの加工条件が、前記ポリマー材料中に面内複屈折及び前記ＭＤに沿って有効配向軸をもたらす、光学フィルムを作製する方法。
［実施形態２］
前記第１加工条件下の前記フィルムの温度が、前記第２加工条件下の前記フィルムの温度より高い、実施形態１に記載の方法。
［実施形態３］
前記第１延伸工程の前記フィルムの前記温度が、前記ポリマーのガラス転移温度より２０〜１００℃高く、前記第２延伸工程の前記フィルムの前記温度が、前記ポリマーの前記ガラス転移温度より１０℃低い温度から前記ポリマーの前記ガラス転移温度より４０℃高い温度までにある、実施形態１に記載の方法。
［実施形態４］
前記フィルムが、前記第２延伸工程後に０．３ｍを超える幅を有する、実施形態１に記載の方法。
［実施形態５］
前記第１延伸工程で生じた複屈折が、０．０５未満であり、前記第２延伸工程で生じた複屈折が、少なくとも０．０６である、実施形態１に記載の方法。
［実施形態６］
前記第２延伸工程後に前記フィルムをアニールすることを更に含む、実施形態１に記載の方法。
［実施形態７］
光学フィルムを作製する方法であって、
少なくとも第１ポリマー材料と第２ポリマー材料とを含むフィルムを提供することと、
第１延伸工程において、第１セットの加工条件下で、前記フィルムをクロスウェブ（ＴＤ）方向に沿って延伸して前記フィルムを拡幅し、前記第１及び第２ポリマー材料中に前記ＴＤ方向に沿って低い複屈折が生じるようにすることと、
第２延伸工程において、第２セットの加工条件下で、前記フィルムを前記クロスウェブ（ＴＤ）方向に沿って緩和させながら、前記フィルムをダウンウェブ（ＭＤ）方向に沿って延伸し、前記第１及び第２ポリマー材料の少なくとも１つの中に面内複屈折、並びに前記ＭＤに沿って有効配向軸を生じさせることと、を含む、光学フィルムを作製する方法。
［実施形態８］
前記第１加工条件下の前記フィルムの温度が、前記第２加工条件下の前記フィルムの温度より高い、実施形態７に記載の方法。
［実施形態９］
前記第１延伸工程での前記フィルムの前記温度が、前記第１及び第２ポリマーの前記少なくとも１つのガラス転移温度より２０〜１００℃高く、前記第２延伸工程の前記フィルムの前記温度が、前記第１及び第２ポリマーの少なくとも１つの前記ガラス転移温度より１０℃低い温度から前記第１及び第２ポリマーの少なくとも１つの前記ガラス転移温度より４０℃高い温度までにある、実施形態７に記載の方法。
［実施形態１０］
前記フィルムが、前記第１延伸工程において前記ＭＤ方向に沿って伸張される、実施形態７に記載の方法。
［実施形態１１］
第３延伸工程において、第３セットの加工条件下で、前記ダウンウェブ（ＭＤ）方向に沿って前記フィルムを延伸することを更に含む、実施形態７に記載の方法。
［実施形態１２］
前記第１延伸工程で生じる複屈折が、０．０５未満であり、及び前記第２延伸工程で生じる複屈折が、少なくとも０．０６である、実施形態７に記載の方法。
［実施形態１３］
前記フィルムが、吸収偏光子材料を含んでなる層を含む、実施形態７に記載の方法。
［実施形態１４］
前記フィルムが、前記第１及び第２延伸工程後、反射偏光子フィルムである、実施形態７に記載の方法。
［実施形態１５］
前記第２延伸工程後に前記フィルムをアニールすることを更に含む、実施形態７に記載の方法。
［実施形態１６］
光学フィルムを作製する方法であって、
少なくとも第１ポリマー材料と第２ポリマー材料とを含む第１フィルムを提供することと、
第１延伸工程において、第１セットの加工条件下で、前記第１フィルムをクロスウェブ（ＴＤ）方向に沿って延伸して前記第１フィルムを拡幅し、前記第１及び第２ポリマー材料中に前記ＴＤ方向に沿って低い面内複屈折が生じるようにすることと、
第２延伸工程において、第２セットの加工条件下で、前記フィルムを前記クロスウェブ（ＴＤ）方向に沿って緩和させながら、前記第１フィルムをダウンウェブ（ＭＤ）方向に沿って延伸し、前記第１及び第２ポリマー材料の少なくとも１つの中に面内複屈折を生じるさせることと、
第２フィルムを前記第１光学フィルムに取り付けることと、を含む、光学フィルムを作製する方法。
［実施形態１７］
前記第２フィルムが、前記第１及び第２延伸工程の後で前記第１フィルムに取り付けられる、実施形態１６に記載の方法。
［実施形態１８］
前記第２フィルムが、構造化表面フィルム、位相差フィルム、吸収偏光フィルム、及びこれらの組み合わせからなる群から選択される、実施形態１６に記載の方法。
［実施形態１９］
前記第２フィルムを前記第１フィルムに取り付けることが、前記第１フィルムと前記第２フィルムとの間に接着剤を配置することを含む、実施形態１６に記載の方法。
［実施形態２０］
前記第２フィルムが、前記第１フィルム上にコーティングされる、実施形態１６に記載の方法。
［実施形態２１］
前記第２フィルムが硬化性材料を含み、前記第２フィルムを取り付けることが、前記硬化性材料を構造化することと、前記硬化性材料を硬化させて前記第１フィルム上に構造化表面を形成することと、を更に含む、実施形態２０に記載の方法。
［実施形態２２］
第２フィルムを前記第１光学フィルムに取り付ける前に、前記第１フィルムに表面処理を適用することを更に含む、実施形態１６に記載の方法。
［実施形態２３］
前記表面処理が、コロナ処理、乾燥、プライマーの適用、又はこれらの組み合わせから選択される、実施形態２２に記載の方法。
［実施形態２４］
前記第１フィルムが、前記第１及び第２延伸工程後、反射偏光子フィルムである、実施形態１６に記載の方法。
［実施形態２５］
前記第２延伸工程後に前記フィルムをアニールすることを更に含む、実施形態１６に記載の方法。
【手続補正２】
【補正対象書類名】特許請求の範囲
【補正対象項目名】全文
【補正方法】変更
【補正の内容】
【特許請求の範囲】
【請求項１】
光学フィルムを作製する方法であって、
少なくとも１つのポリマー材料を含むフィルムを提供する工程と、
第１延伸工程において、第１セットの加工条件下で、前記フィルムをクロスウェブ（ＴＤ）方向に沿って拡幅し、前記フィルム中に生じる複屈折がたとえあるとしても低いようにする工程と、
第２延伸工程において、第２セットの加工条件下で、前記フィルムを前記クロスウェブ（ＴＤ）方向に沿って緩和させながら、前記フィルムをダウンウェブ（ＭＤ）方向に沿って延伸する工程と、を含み、前記第２セットの加工条件が、前記ポリマー材料中に面内複屈折及び前記ＭＤに沿って有効配向軸をもたらし、前記光学フィルムが約０．７以上の一軸特性度（Ｕ）を有するようにする、光学フィルムを作製する方法。
【請求項２】
前記第１延伸工程で生じた複屈折が、０．０５未満であり、前記第２延伸工程で生じた複屈折が、少なくとも０．０６である、請求項１に記載の方法。
【請求項３】
光学フィルムを作製する方法であって、
少なくとも第１ポリマー材料と第２ポリマー材料とを含むフィルムを提供することと、
第１延伸工程において、第１セットの加工条件下で、前記フィルムをクロスウェブ（ＴＤ）方向に沿って延伸して前記フィルムを拡幅し、前記第１及び第２ポリマー材料中に前記ＴＤ方向に沿って低い複屈折が生じるようにすることと、
第２延伸工程において、第２セットの加工条件下で、前記フィルムを前記クロスウェブ（ＴＤ）方向に沿って緩和させながら、前記フィルムをダウンウェブ（ＭＤ）方向に沿って延伸し、前記第１及び第２ポリマー材料の少なくとも１つの中に面内複屈折、並びに前記ＭＤに沿って有効配向軸を生じさせて、前記光学フィルムが約０．７以上の一軸特性度（Ｕ）を有するようにすることを含む、光学フィルムを作製する方法。